(57)【要約】プレハブ式の施工ユニットを建築構造物中の開口に取り付けるシステムは、複数のクリップを備える。クリップは施工ユニットのフレームに固定されるようになっている外側端部と、建築構造物に固定されるようになっている内側端部とを有する。外側端部は、施工ユニットのフランジを受承する深い溝を提供するように屈曲している。クリップは、作業者が建築構造物の外側からフランジを介して固定具を挿入する必要がなく、施工ユニットを設置することを可能にする。
2006514180.tif 000002
【特許請求の範囲】
【請求項１】
建築構造物に対して施工ユニットを固定するために使用されるクリップであって、外側端部において、施工ユニットのフレームのフランジを受承すべくクリップを横断する方向に延びる溝と、内側端部において、開口および突起の組合わせを１つ以上を備える少なくとも１つの装着点とからなる薄板状のタブを備えるクリップ。
【請求項２】
前記溝の開口部はテーパー状をなす請求項１に記載のクリップ。
【請求項３】
前記溝内において内方に指向する少なくとも１個の歯を備える請求項１又は２に記載のクリップ。
【請求項４】
前記溝およびタブは、弾性材料よりなる屈曲片から一体的に形成される請求項１乃至３のいずれか１項に記載のクリップ。
【請求項５】
前記タブの外側端部および内側端部は、断熱性連結部材の対向する辺に連結された別材よりなる請求項１乃至３のいずれか１項に記載のクリップ。
【請求項６】
前記溝と少なくとも１つの装着点との間に配置された支点を備える請求項１乃至５のいずれか１項に記載のクリップ。
【請求項７】
前記支点は、タブ中の屈曲個所においてタブの外表面よりなる請求項６に記載のクリップ。
【請求項８】
前記タブは弾性材料にて形成される請求項７に記載のクリップ。
【請求項９】
前記弾性材料は鋼である請求項８に記載のクリップ。
【請求項１０】
前記タブは、同タブに比較して熱伝導性の低い材料の層にて被覆されている請求項１乃至９のいずれか１項に記載のクリップ。
【請求項１１】
前記タブは、溝とタブの内側端部との間に中間部を備える請求項１乃至１０のいずれか１項に記載のクリップ。
【請求項１２】
前記中間部はタブの外側端部および内側端部より厚い請求項１１に記載のクリップ。
【請求項１３】
前記中間部は同中間部の表面から突出する少なくとも１個の隆起部を備える請求項１１又は１２に記載のクリップ。
【請求項１４】
前記中間部の表面に装着された変形可能なエラストマー系の材料の層を備える請求項１１に記載のクリップ。
【請求項１５】
断熱性連結部材の熱伝導性はタブの内側端部および外側端部の熱伝導性よりも低い請求項５に記載のクリップ。
【請求項１６】
断熱性連結部材はその対向する側において、タブの内側端部および外側端部を夫々受承する一対の溝を備える請求項５乃至１５のいずれか１項に記載のクリップ。
【請求項１７】
断熱性連結部材はタブの外側端部と内側端部とに対応する表面に沿って夫々延在する外側連結フランジと内側連結フランジとを備える請求項５乃至１５のいずれか１項に記載の
クリップ。
【請求項１８】
断熱性連結部材は、外側連結フランジと内側連結フランジとの間にして、タブの外側端部と内側端部との間に配置された中央部を備える請求項１７に記載のクリップ。
【請求項１９】
前記装着点の突起はタブの端部に対してほぼ直角をなして突出する請求項１乃至１８のいずれか１項に記載のクリップ。
【請求項２０】
施工ユニットを建築構造物に対して固定するためのクリップであって、外側端部と内側端部とを備え、クリップの外側端部は同クリップを施工ユニットのフレームに対して固定する手段を備えるとともに、クリップの内側端部は同内側端部を建築構造物に対して固定する手段を備えるクリップ。
【請求項２１】
フレームと、
前記フレームの周縁において同フレームから側方に突出するフランジと、
前記フレームから内方に突出する複数のタブと、前記タブは同タブの外側端部においてフレームに取り付けられるとともに、内側端部において少なくとも１個の装着点を有し、同装着点は、開口および突起よりなる少なくとも１つの組み合わせを有するタブとからなる施工ユニット。
【請求項２２】
各タブは同タブの内側端部と外側端部との中間の位置に支点を備える請求項２１に記載の施工ユニット。
【請求項２３】
前記支点はタブ中の屈曲個所におけるタブの外表面よりなる請求項２２に記載の施工ユニット。
【請求項２４】
前記タブは弾性材料にて形成される請求項２１乃至２３のいずれか１項に記載の施工ユニット。
【請求項２５】
前記弾性材料は鋼である請求項２４に記載の施工ユニット。
【請求項２６】
前記タブはその外側端部に溝を備え、同溝は前記フランジを受承して、把持する請求項２１乃至２５のいずれか１項に記載の施工ユニット。
【請求項２７】
前記タブは溝内において内方に指向する少なくとも１個の歯を備える請求項２６に記載の施工ユニット。
【請求項２８】
前記溝とタブとは、弾性材料よりなるの屈曲片から一体的に形成されている請求項２６乃至２７のいずれか１項に記載の施工ユニット。
【請求項２９】
各タブの外側端部および内側端部は、断熱性連結部材の両側に連結された別々の材料片を備え、断熱性連結部材の熱伝達率はタブの内側端部および外側端部の熱伝達率より低い請求項２１乃至２７のいずれか１項に記載の施工ユニット。
【請求項３０】
前記フレームは４つの側部を有し、同フレームの４つの側部からそれぞれ突出するタブを複数個備える請求項２１乃至２９のいずれか１項に記載の施工ユニット。
【請求項３１】
前記タブは同タブに比較して熱伝導率の低い材料よりなる層にて被覆されている請求項２１乃至３０のいずれか１項に記載の施工ユニット。
【請求項３２】
前記タブはその内側端部と外側端部との間に中間部を備える請求項２１乃至３１に記載の施工ユニット。
【請求項３３】
前記中間部はタブの内側端部および外側端部よりも厚い請求項３２に記載の施工ユニット。
【請求項３４】
前記中間部はその表面から突出している少なくとも１個の隆起を備える請求項３２乃至３３に記載の施工ユニット。
【請求項３５】
前記中間部の表面に装着された、変形可能なエラストマー系の材料の層を備える請求項３２に記載の施工ユニット。
【請求項３６】
断熱性連結部材はその両側においてタブの内側端部および外側端部をそれぞれ受承する一対の溝を備える請求項２９に記載の施工ユニット。
【請求項３７】
断熱性連結部材はタブの外側端部と内側端部とに対応する表面に沿って夫々延在する外側連結フランジと内側連結フランジとを備える請求項２９に記載のクリップ。
【請求項３８】
断熱性連結部材は、外側連結フランジと内側連結フランジとの間にして、タブの外側端部と内側端部との間に中央部を備える請求項３７に記載のクリップ。
【請求項３９】
フレーム内に透明パネルを有する窓ユニットを備える請求項２１乃至３８のいずれか１項に記載の施工ユニット。
【請求項４０】
フレーム内に扉を有する扉ユニットを備える請求項２１乃至３８のいずれか１項に記載の施工ユニット。
【請求項４１】
施工ユニットはフレーム内に換気口を有する換気口ユニットを備える請求項２１乃至３８のいずれか１項に記載の施工ユニット。
【請求項４２】
施工ユニットはフレーム内に透光性パネルを有する採光ユニットを備える請求項２１乃至３８に記載の施工ユニット。
【請求項４３】
施工ユニットを建築構造物の壁面中の開口に設置する方法であって、
施工ユニットのフレームから内側に突出するタブにより、複数の同タブを前記フレームに対して固定する工程と、
施工ユニットを前記開口に載置する工程と、
前記タブの内側端部を建築構造物に対して固定する工程とを備える方法。
【請求項４４】
施工ユニットは複数の側部を備え、前記方法はフレームの各側部に対して少なくとも１つのタブを固定する工程を備える請求項４３に記載の方法。
【請求項４５】
施工ユニットは、施工ユニットの周縁にあり、且つ、側面に沿って突出したフランジを備え、フランジを建築構造物の壁面の外表面に対して引き当てる工程を備える請求項４３乃至４４のいずれか１項に記載の方法。
【請求項４６】
複数のタブを施工ユニットのフレームに対して固定する工程は、前記複数のタブを施工ユニットのフランジに対して固定する工程を備える請求項４５に記載の方法。
【請求項４７】
各タブは同タブの外側端部に溝を備え、施工ユニットのフランジに対してタブを固定す
る工程は、施工ユニットのフランジをタブの溝に押入する工程を備える請求項４６に記載の方法。
【請求項４８】
各タブは弾力性を有するとともに、支点を備え、前記方法は、タブの内側端部を建築構造物に対して固定するに先立って、及び固定する間の少なくともいずれかにおいて、前記タブの内側端部を外方に弾力性をもって曲げる工程と、これにより、フレームに対してタブの外側端部を付勢する工程とを備える請求項４３乃至４７のいずれか１項に記載の方法。
【請求項４９】
前記タブの内側端部を建築構造物に対して固定する工程は、タブの内側端部に設けた開口を介し、建築構造物にねじを打ち込む工程を備える請求項４３乃至４８のいずれか１項に記載の方法。
【請求項５０】
前記タブの内側端部を建築構造物に対して固定する工程は、前記タブの内側端部に設けた開口を介し、建築構造物に釘を打ち込む工程を備える請求項４３乃至４９のいずれか１項に記載の方法。
【請求項５１】
前記タブは同タブから突出する突起を備え、前記タブの内側端部を建築構造物に対して固定する工程は、前記突起を建築構造物に打ち込む工程を備える請求項４３乃至５０のいずれか１項に記載の方法。
【発明の詳細な説明】
【技術分野】
【０００１】
本発明は、プレハブ式の施工ユニットを建物躯体の開口に取り付ける方法に関する。本発明の実施態様は、窓を建物躯体の開口に取り付けるためのシステムに具体化されている。
【背景技術】
【０００２】
今日、ほとんどの窓は、フレームに取り付けられた１つ以上のガラス板を備えたユニットの形式にて供給されている。ガラス板は、典型的には、封止された二重または三重のガラスパネルを備える。フレームは、アルミニウム製のフレームが未だに販売されてはいるが、典型的には、熱を良くは伝達しないビニール、または、他のプラスチック材料からなる。窓ユニットのフレームは、典型的には、側面に沿って突出し、窓ユニットの周縁に延在する幅広のフランジを備える。扉、換気口、および、明り採りなどの他の種類のプレハブ式の施工ユニットは、同様なフランジを備えることができる。
【０００３】
典型的な木製フレームの建物は、窓、扉、換気口、明り採りなどのプレハブ方式の施工ユニット用の開口を有する木製部材のフレームを備える。適切なサイズにした施工ユニットは、建物フレームの外側と重複し、且つ、当接するフランジにて夫々の開口に受承される。施工ユニットは、典型的には、施工ユニットの各辺に数本のねじまたは釘を配置することにより、フランジを介して建物フレームに正しく固定される。
【０００４】
施工ユニットが現在設置される方法における不都合は、人は建物の外にいて施工ユニットを設置しなければならないことである。これは、特に窓ユニットに関しては、窓の開口が地表面からかなり上方に位置する可能性があるので問題である。このような位置にある窓は、しばしば梯子上に立っている人により設置される。特に風の強い天候や冬季の条件なら、これは危険である。
【０００５】
施工ユニットが現在設置される方法におけるもう１つの不都合は、多くの建物は、外面に施した耐水用の膜を備えることである。この膜にねじまたは釘にて穿孔することは、膜の有効性を減じる。
【発明の開示】
【発明が解決しようとする課題】
【０００６】
施工ユニットを設置するための、更に効率的な方法が必要性である。
【課題を解決するための手段】
【０００７】
本発明は、施工ユニットを建物の壁面の開口に建物の内部から適切に固定するために用いられ得る、タブを有するプレハブ方式の施工ユニットを提供する。本発明の一態様は、施工ユニットを建築構造物に対して固定するために用いるクリップを提供する。クリップは、クリップの外側端部に施工ユニットのフレームのフランジを受承するための横方向の溝と、クリップの内側端部に少なくとも１つの装着点とを有する薄いタブを備える。装着点は、例えば開口、および／または、タブから突出している突起を備えることが可能である。クリップは、フレームのフランジを前記溝に挿入することにより、フレームに対して固定され得る。装着点は、クリップを建築構造物に対して固定するために用いられ得る。
【０００８】
本発明の他の態様は、施工ユニットを建築構造物に対して固定するためのクリップを提供する。クリップは外側端部と内側端部とを備える。クリップの外側端部は、クリップを施工ユニットのフレームに対して固定する手段を備える。クリップの内側端部は、クリッ
プの内側端部を建築構造物に対して固定する手段を備える。これらの機能を実行するための様々な手段は、以下に説明される。
【０００９】
本発明の更に他の実施態様は、フレーム、フレームの周縁にあり、フレームから側面に沿って突出しているフランジ、および、フレームから内側に向けて突出している複数のタブを備える施工ユニットを提供する。夫々のタブは、タブの外側端部においてフレームに対して装着されており、且つ、タブの内側端部において少なくとも１つの装着点を有する。前記装着点は、開口、および／または、タブから突出している突起を備える。
【００１０】
本発明の更に他の態様は、建築構造物の壁面にある開口に、施工ユニットを設置する方法を提供する。このような一つの方法は、タブをフレームから内側に向けて突出させることにより、複数のタブを施工ユニットのフレームに対して固定する工程と、施工ユニットを開口中に据え付ける工程と、前記タブの内側端部を建築構造物に対して固定する工程とを備える。
【００１１】
本発明の更なる態様、および、本発明の具体的な実施態様の特徴は、以下に説明される。
【発明を実施するための最良の形態】
【００１２】
図面は、本発明の限定するためのものではない実施態様を図示したものである。
以下の説明を通して、本発明を更に充分に理解できるようにするために個別の詳細が提示される。しかし、本発明は、これらの具体事項が無くても実行され得る。次に、本発明を不必要に混乱させないため、公知の要素は詳細には図示、または、説明されていない。従って、明細書および図面は限定的なものというより、例示的なものとみなされるべきである。
【００１３】
図１は、典型的な木製フレーム構造のフレーム１０の一部を図示する。フレーム１０は、羽目１２により外面を被覆された木製の間柱１１を備える。フレーム１０は、窓ユニット１５を受承するための木製のフレーム部材１４に囲まれた開口１３を有する。窓ユニット１５は、いかなる適当な材料からなってもよい窓フレーム１６とガラスパネル１８とを有する。
【００１４】
窓ユニット１５は、４辺を有するとして図示されている。本発明は、三角形、円形、半円形、多角形などの他の形を有する施工ユニットでも使用されてよい。
窓フレーム１６は、窓フレーム１６の周縁において側面に沿って突出しているフランジ２０を有する。開口１３は、フランジ２０の外形寸法より小さく、窓フレーム１６を受承する寸法となっている。一方、フランジ２０は羽目１２の外部表面を圧迫する。
【００１５】
本発明はクリップ３０を提供する。クリップ３０は、窓フレーム１６を嵌合するようにされた外側端部３２と、建物フレーム１０の内側から建物フレーム１０に対して固定されるようにされた内側端部３４とを備える。クリップ３０は、１つ以上のクリップ３０を窓フレーム１６の各辺に固定して使用される。図１に図示される実施例においては、２つのクリップ３０が窓フレーム１６の各辺に固定されている。より大きな窓ユニットに対しては、３つ以上のクリップ３０が窓フレーム１６の各辺に固定されてもよい。多くの場合、２つ以上のクリップ３０が窓フレーム１６の各辺に固定されるであろう。
【００１６】
本発明の図示されている実施態様において、クリップ３０はフランジ２０に係着している。図２は更に詳細にクリップ３０を示す。クリップ３０は、鋼、強靭なプラスチックなどのあらゆる適切な材料の帯状片から形成される。クリップ３０の材料は、弾力性に富むのが好ましい。幾つかの実施態様において、クリップ３０は、クリップ３０の材料と比較
して熱伝導性の乏しい被覆層（図示されていない）にて被覆されていてもよい。例えば、そのような被覆層は、ゴム、プラスチック、ビニール、グラスファイバなどを含む。そのような被覆層はクリップ３０の表面（片面または両面）上での凝結を減少させ、または、防止させるのを助ける可能性がある。幾つかの実施態様において、被覆層はクリップ３０の接触面（片面または両面）上に付与されてよい。クリップ３０の内側端部３４は、内側端部３４を建築構造物１０に固定するための、ねじまたは釘などの固定具を受承することができる１つ以上の開口３６を備える。開口３６は、内側端部３４を建築構造物に対して固定させるための１つの可能な手段を構成している。
【００１７】
クリップ３０の外側端部３２は屈曲され、深い溝３８を画定している。図３に示される如く、溝３８は窓フレーム１６のフランジ２０を受承するのに充分な程深い。溝３８の両側にある部分３９Ａと部分３９Ｂとは、好ましくは（必須ではないが）互いの方向に弾力をもって付勢されており、それにより、クリップ３０はフランジ２０を把持する傾向がある。内向きの歯４０（図２）は、溝３８の片側、または、両側に任意で設けられてよい。フランジ２０が溝３８に受承された後、歯４０はフランジ２０に噛み込み、溝３８からフランジ２０を引き出すことになるあらゆる力に抵抗する。
【００１８】
溝３８の外側４２はテーパーをつけてもよく、これにより、フランジ２０を溝３８に導くのが容易になる。フランジ２０が溝３８の外側４２に差し込まれるにつれて、フランジ２０は部分３９Ａと部分３８Ｂとを押し広げる傾向にあり、これにより、フランジ２０は溝３８に堅固に保持される。
【００１９】
クリップ３０は、好ましくは（必須ではないが）両端部３２，３４の中間の場所にて屈曲されている。その屈曲は支点４４を明確化する。図３に示されるように、端部３４が構造１０に固定されると、クリップは支点４４の周りに軸回転する傾向があり、従って、端部３２はフランジ２０と一層堅固に嵌合するように付勢される。クリップ３０は、弾力があって柔軟性に富むのが好ましい。端部３４が釘４６などの固定具により建築構造物１０に固定されるので、クリップ３０は真っ直ぐとなる。
【００２０】
クリップ３０に屈曲を付与することはまた、内側に向けられた例えば釘またはねじなどの固定具により、クリップ３０の建築構造物１０に対する固定を促進する。このような固定具がかたく固定されると、クリップ３０は内側に向けて引かれ、それにより、クリップ３０は窓フレーム１６を堅固に開口に引き込む。
【００２１】
図４Ａ、図４Ｂおよび図４Ｃは、内側端部３４に関する幾つかの代替案の構成を図示している。図４Ａ、図４Ｂおよび図４Ｃのいずれにおいても、端部３４は幾つかの突起４８を備えている。突起４８はクリップ３０から突出し、クリップ３０が窓フレーム１６に固定されるときにフレーム部材１４（図１）に打ち込まれ得る。図示されている実施態様において、突起４８はクリップ３０の本体の材料と一体化しており、クリップ３０の材料のフラップを屈曲させることにより形成される。突起４８は図４Ａおよび図４Ｂに示されるように三角形であってよく、または、図４Ｃに示されるように更に伸長された形を有してよく、または、他の形を有してよい。図４Ａおよび図４Ｃの実施態様は開口３６と突起４８との両方を備える。突起４８はクリップ３０の端部３４に直角に突出してよい。代替案の実施態様において、端部３４を建築構造物１０に対して固定させるのに使用できる突起４８は、適切な方法により端部３４に対して固定される別の要素を備えてもよい。例えば、適切な突起４８が端部３４にスポット溶接されていてもよい。端部３４に固定された突起は、端部３４を建築構造物１０に対して固定させる代替手段を提供する。
【００２２】
図４Ｃの実施態様において、突起４８は柔軟性を有する爪４９の終端の近くに配置される。
突起４８は端部３４を建築構造物１０に対して恒久的に固定するに充分な程必ずしも大きくはない。幾つかの実施態様において、突起４８は、ねじまたは釘が開口３６を介して挿入されるまで、端部３４を建築構造物に対して暫定的に保持するように用いられてもよい。
【００２３】
図５Ａおよび図５Ｂは、本発明の他の実施態様によるクリップ３０を図示している。図５Ａおよび図５Ｂの実施態様において、クリップ３０は、中間部３１の表面から上方に突出する隆起３３を備える。窓ユニット１５が建物開口２３に、図５Ａおよび図５Ｂに示されている種類のクリップを用いて取り付けられるときに、隆起３３は、フレーム部材１４の最上端１４Ａと窓フレーム１６の下方縁１６Ａとの間に間隙３７を作成する。間隙３７は、窓ユニット１５の同一辺上の隣接するクリップ同士の間に延在する。間隙３７は、建物の外部と内部との間のガス、および／または、水分の交換を促進し、且つ、建物壁面の層間からのガス、および／または、水分の散逸を促進するように使用され得る。
【００２４】
図５Ｂは窓ユニット１５の下方辺にて使用されているクリップ３０を図示するが、隆起３３を有するクリップは、窓ユニット１５の他の辺においても、間隙３７を生成するように使用され得ることは、充分に理解されるであろう。図５Ａおよび図５Ｂに図示された隆起３３は、窓フレーム１６とフレーム部材１４との間の間隙３７を生成する隆起の、可能性のある１つの実施態様を表す。幾つかの代替の実施態様は、クリップ３０上に複数の隆起を備える。幾つかの代替の実施態様は、中間部３１の反対面から対向する方向に（即ち、フレーム部材に向かって）突出する１つ以上の隆起を備える。他の代替の実施態様において、クリップ３０は、部分３９Ｂの表面から内側の方向に突出し、窓フランジ２０（および、クリップ３０の部分３９Ｂ）と羽目１２の外部表面との間に間隙を与える１つ以上の隆起を備える。このような間隙は、間隙３７に連通し、ガス、および／または、水分の交換を促進できる。更に他の代替の実施態様においては、クリップ３０の中間部３１（および／または、部分３９Ｂ）の相対的な厚さが増大し、これにより、クリップ３０は、窓フレームと隣接する構造との間の間隙を与えるようなスペーサとして作用することができる。
【００２５】
図６Ａおよび図６Ｂはそれぞれ、本発明の更なる代替の実施態様によるクリップ１３０の断面図、および、等角図である。クリップ１３０は、外側切片１３０Ａ、内側切片１３０Ｂ、および、断熱性連結材１３７を含む複数の切片を備える。図６Ａおよび図６Ｂに示される如く、外側切片１３０Ａは、好ましくは深い溝１３８を画定する部分１３９Ａ，１３９Ｂを有する外側端部１３２を備える。内側切片１３０Ｂは、好ましくは内側端部１３４と中間部１３１とを備える。断熱性連結材１３７は、内側切片１３０Ｂを外側切片１３０Ａに対して連結し、且つ、これら二者間を熱的に遮断する。断熱性連結材１３７は、外側切片１３０Ａ、および、内側切片１３０Ｂの材料に比較して熱的に絶縁性である材料（単数もしくは複数）から製造される。例えば、外側切片１３０Ａ、および、内側切片１３０Ｂは鋼、または、他種の金属合金からなることが可能であり、一方、断熱性連結材１３７は、ゴム、プラスチック、ビニール、ガラス繊維などからなることが可能である。外側切片１３０Ａから内側切片１３０Ｂを熱的に遮断することにより、外側切片１３０Ａにより感知された低温による内側切片１３０Ｂ上への水分の凝結の可能性が減少する。
【００２６】
図示された実施態様において、断熱性連結材１３７は、外側切片１３０Ａおよび内側切片１３０Ｂを夫々受承する溝１４１Ａ，１４１Ｂを備える。断熱性連結材１３７は弾性材料から製造されるのが好ましく、従って、外側切片１３０Ａと内側切片１３０Ｂとが溝１４１Ａ，１４１Ｂに挿入されると、溝１４１Ａ，１４１Ｂの変形は、外側切片１３０Ａおよび内側切片１３０Ｂの先端を定位置に保持するように（即ち、外側切片１３０Ａおよび内側切片１３０Ｂの先端を断熱性連結材１３７に対して装着するように）作用する。代替の実施態様において、接着剤、リベット、および／または他の適切な固定具は、外側切片
１３０Ａおよび内側切片１３０Ｂの先端を断熱性連結材１３７に対して装着するのを補助するように使用されてもよい。断熱性連結材１３７は、切片１３０Ａ，１３０Ｂの先端周辺に適切に成型されてもよい。外側切片１３０Ａおよび内側切片１３０Ｂは、外側切片１３０Ａおよび内側切片１３０Ｂの材料と比較して伝熱性の乏しい被覆層（図示せず）にて被覆されてもよい。このような被覆層はまた、外側切片１３０Ａおよび内側切片１３０Ｂの表面（片側または両側）上の凝結を減少させ、または、防止するのを補助できる。
【００２７】
本発明の使用により、プレハブ式の施工ユニットの建物への設置が、特に、施工ユニットが建物の外部から設置されるような場所に到達するために、人が梯子、足場、昇降機などを必要とする場合には、極めて単純化され得ることは充分に理解されるべきである。本発明によれば、作業者は、クリップ３０を施工ユニットに対して固定させ、その後、構造の内側から、施工ユニットを斜めにして施工ユニットが設置される開口に向け、施工ユニットを開口を介して構造の外側に通すことができる。更に構造の内側から作業をすることにより、その後作業者は、施工ユニットを開口の定位置に引き込み、構造に対してクリップ３０の内側端部３４を固定することにより施工ユニットを定位置に固定する。必要なら、施工ユニットのフレームの周囲に詰め木を設置し、開口中の施工ユニットを適切に調整してもよい。
【００２８】
耐水用の膜などが建物フレーム１０の外面に施工されている場合には、本発明の更なる利点が認識される。施工ユニットを建築構造物に固定する従来のシステムは、典型的には、開口１３に隣接する領域において、この膜は釘またはねじにより穿孔されることが必要とされる。幾つかの場合には、建築基準は、この膜が穿孔されるような方法で施工ユニットの下辺を固定することを禁止している。時には、この理由により、窓は下辺に固定具を用いることなく設置される。その結果は、特に風の強い天候の際に、窓の下辺が動くことがあり得る。本発明によるクリップ３０の使用は、膜が無傷でいることを可能にし、更に、窓ユニット、および、他の施工ユニットの下辺を１つ以上のクリップ３０により堅固にすることができる。
【００２９】
上記した如き外側端部３２を備えるクリップ３０は、最小限の道具を用い、且つ、フレームにドリル穿孔したり、または、他の観点から窓やドアのフレームを改変したりする必要がなく、施工ユニットフレームに対して固定され得る。
【００３０】
先に言及されている、例えば、部材、タブ、固定具などの構成要素は、他に指示が無ければ、その構成要素を言及（手段とする言及も含めて）することにより、記載されたその構成要素の機能を実行する（即ち、機能上等価である）あらゆる構成要素が、その構成要素と等価なものとして含まれると解釈されるべきである。更に、その構成要素を言及（手段とする言及も含めて）することにより、本発明の図示された例示的な実施態様にある機能を実行する開示された構造とは、構造上は等価ではない構成要素をも含めると解釈されるべきである。
【００３１】
上述の開示に関し当業者には明らかであるように、本発明の実施の際に、本発明の精神または範囲を逸脱することなく、多くの変更および改変が可能である。例えば、
・  上記の詳細な説明は主に窓ユニットに関係するが、本発明によるクリップは、扉ユニット、換気口ユニット、明り採りユニットなどの他の種類の施工ユニットを建物フレーム中の適切なサイズにした開口中に固定するために、同様に用いられ得ることは、理解されるべきである。
・  幾つかの実施態様において、変形可能なエラストマー系の材料（図示せず）がクリップ３０の中間部３１の片面（または両面）に装着され得る。このような変形可能なエラストマー系の層（単層または複数層）は、クリップ３０を更に順応性を付与するので、これにより、クリップ３０の設置をし易くし、且つ、クリップ３０が窓ユニット１５またはフ
レーム１０を思いかけず傷付けるのを防止できる。このような変形可能なエラストマー系の層（単層または複数層）はまた、窓ユニット１５、および／または、フレーム部材１４の縁の形状における反りに対応するのを補助することが可能である。類似の変形可能なエラストマー系の層（単層または複数層）は、先に論じたクリップに関する全ての実施態様において、使用することが可能である。
・  幾つかの実施態様において、断熱性連結材１３７は、図６Ａおよび図６Ｂに図示されたものとは異なる形状を有し、且つ、図６Ａおよび図６Ｂに図示されたものとは異なる方法により外側切片１３０Ａおよび内側切片１３０Ｂに装着され得る。図７Ａおよび図７Ｂは、それぞれ、本発明の更なる実施態様による窓取り付け用クリップの断面図を示す。図７Ａのクリップ１３０は外側切片１３０Ａと内側切片１３０Ｂとを備える。切片１３０Ａ，１３０Ｂは断面がＴ字型であり、切片１３０Ａ，１３０Ｂ上に延在するフランジ１５０Ａ，１５０Ｂを有する断熱性連結材１３７´により互いに連結されている。断熱性連結材１３７´は、接着剤、リベット、および／または、他の適切な固定具（図示せず）を用いて、外側切片１３０Ａおよび内側切片１３０Ｂに連結され得る。Ｔ字型の断熱性連結材１３７´は、フランジ１５０Ａ，１５０Ｂが切片１３０Ａ，１３０Ｂの下に延在するように（切片１３０Ａ，１３０Ｂに対して）逆転していてもよいことは、当業者は正しく理解するであろう。図７の実施態様において、外側切片１３０Ａおよび内側切片１３０Ｂは比較的平坦な形状の断熱性連結材１３７´´により互いに連結されている。断熱性連結材１３７´´は、切片１３０Ａ，１３０Ｂ上に夫々延在する外側端部１５２Ａおよび内側端部１５２Ｂを備える。断熱性連結材１３７´´は、接着剤、リベット、および／または、他の適切な固定具（図示せず）を用いて、切片１３０Ａ，１３０Ｂと連結され得る。断熱性連結材１３７´´のフランジ１５２Ａ，１５２Ｂは、他の方法として、切片１３０Ａ，１３０Ｂの下に、または、切片１３０Ａ，１３０Ｂの上と下との両方に延在してもよいことは、当業者は正しく理解するであろう。断熱性連結材１３７´，１３７´´は、外側切片１３０Ａおよび内側切片１３０Ｂの材料に比較して熱的に伝導性が乏しいのが好ましい。
従って、本発明の範囲は、以下の特許請求項により定義される大要に則り解釈されるべきである。
【図面の簡単な説明】
【００３２】
【図１】本発明による取り付け用クリップを用いて建築構造物に設置された窓の部分破断等角図。
【図２】本発明の具体的な実施態様による窓取り付け用クリップの等角図。
【図３】図２に示される型の窓取り付け用クリップを用いて、建物フレームの開口中に設置された窓の一部の断面図。
【図４Ａ】本発明の代替の実施態様による窓取り付け用クリップの端部の等角図。
【図４Ｂ】本発明の代替の実施態様による窓取り付け用クリップの端部の等角図。
【図４Ｃ】本発明の代替の実施態様による窓取り付け用クリップの端部の等角図。
【図５Ａ】本発明の他の実施態様による窓取り付け用クリップの等角図。
【図５Ｂ】図５Ａに示される型の窓取り付け用クリップを用いて建物フレームの開口中に設置された窓の一部の断面図。
【図６Ａ】本発明の他の代替の実施態様による窓取り付け用クリップの断面図。
【図６Ｂ】本発明の他の代替の実施態様による窓取り付け用クリップの等角図。
【図７Ａ】本発明の更なる実施態様による窓取り付け用クリップの断面図。
【図７Ｂ】本発明の更なる実施態様による窓取り付け用クリップの断面図。
【図１】
2006514180.tif 000003
【図２】
2006514180.tif 000004
【図３】
2006514180.tif 000005
2006514180.tif 000006
2006514180.tif 000007
2006514180.tif 000008
2006514180.tif 000009
【国際調査報告】
2006514180.tif 000010
2006514180.tif 000011